(57)【要約】      （修正有）【課題】傘の水滴を拭い、垂れる水滴を防ぐ、傘を好適に保持することが可能な傘の付属品を提供する。【解決手段】吸水性のあるシート状の部材を折り曲げて輪ゴム１０４と係合させることにより折り曲げ体に構成される傘の付属品である。折り曲げ体の中心には、係合させた輪ゴム１０４からなる伸縮自在な穴１０１を有している。傘を、本物品の穴１０１に挿通し、傘の水滴を拭うことができる。また石突２０２と中棒２０３の境目に固定すると傘から垂れる水滴を防ぐことができる。複数回使用してもシート状部材からなる層が幾重にも重なっているので、しみ出ず保水することができる。中棒２０３に固定すると露先も束ねられる。使用しない時は、手元に固定すると、傘をさしながらでも邪魔にならずに傘に装着できる。【選択図】図１０
2018042964.tif 000002
【特許請求の範囲】
【請求項１】
吸水性のあるシート状部材を複数回折り曲げて構成される折り曲げ体であって、前記シート状部材と輪ゴムと係合させ、この輪ゴムの内側に穴が形成され、前記穴に傘を挿通することが可能である、傘用水滴拭い具。
【請求項２】
前記折り曲げ体は、前記輪ゴムに、前記シート状部材を複数回巻き付けており、巻き付けることによって、前記輪ゴムの内側が前記穴となり、その穴を中心に幾重にも重なるシート状部材の吸収層が形成される、請求項１に記載の傘用水滴拭い具。
【請求項３】
前記折り曲げ体は、前記穴に挿通した傘の水滴を受ける部分が丸く開口した椀状や、また複数個重ねて使用できる平らなリング状にも成形可能な、請求項１記載の傘用水滴拭い具
【請求項４】
前記折り曲げ体は、前記シート状部材を長方形に成形した後、長辺方向に沿って複数回折って、この折り目に直交するように輪ゴムを留め、その輪ゴムを基点に輪ゴムが内側になるように折り曲げる、請求項１又は３の傘用水滴拭い具。
【発明の詳細な説明】
【技術分野】
【０００１】  本発明は、傘の水滴を拭い、垂れる水滴を抑えることが可能な傘の付属品に関する。
【背景技術】
【０００２】  従来、濡れた傘を収納するものは、ビニール袋や傘用ケースが知られている。
【先行技術文献】
【特許文献】
【０００３】
【特許文献１】  意匠登録  第１５２２４６３号公報
【特許文献２】  実用新案登録  第３１３３７３１号公報
【非特許文献】
【０００４】
【非特許文献１】  ＵＲＬ：ｈｔｔｐ：／／ｗｗｗ．ｓｕｓｕ−ｎｅｔ．ｊｐ／ｐｒｏｄｕｃｔ／ｓｕｓｕ／ｏｔｈｅｒ／ｋａｓａｃａｓｅ．ｐｈｐ  ＳＵＳＵ  スウスウ  傘ケースロング  山崎産業株式会社
【発明の概要】
【発明が解決しようとする課題】
【０００５】  濡れた傘の水滴が垂れることを防止するためには、ビニール袋や傘用ケースに収納する方法が主で、傘をさした際にビニール袋や傘用ケースが邪魔になり始末が面倒である。【０００６】  ビニール袋は、濡れた傘の水滴を吸収しない。溜まった水を捨てて始末する必要があり面倒である。【０００７】  非特許文献１は、内部が吸水素材であるが、水分を含むと膨れ、傘をさした際に邪魔になり、収納しにくい。【０００８】  特許文献１は、傘を収納するものではなく、吸水素材を用いたドーナツ状の傘用水滴拭い具であり、穴に傘を挿通して水滴を拭うものである。上記傘用ケースに収納する方法とは違い、傘に装着でき、使用後も邪魔にはならない傘用水滴拭い具を、製作するには縫製が必要で、穴に通ったゴムも輪ゴムは使用できず、二か所にゴムひもを通し輪にして結ぶ手間がある。【０００９】  また特許文献１は、ロール状にした部材の、その口を縫い合わせた二層構造により、層と層の間には隙間があり、複数回使用すると吸収した水がしみ出し、吸水できなくなる。【００１０】  特許文献２は、元から傘に取り付けられた機能なので、別の傘に使用できない。【００１１】  本発明は、このような従来の問題を解決するものであり、製作が簡単で、どの傘でも使用でき、前記穴に傘を挿通することにより、傘の水滴を拭い、垂れる水滴を防ぎ、また複数回使用しても水滴を吸収、保水することができ、使用しない時も傘に装着することにより、傘をさしながらでも邪魔にならずに傘を保持することができることを目的とする。
【課題を解決するための手段】
【００１２】  本発明にかかる本物品は、吸水性のあるシート状部材を複数回折り曲げて構成される折り曲げ体であって、前記シート状部材と輪ゴムと係合させ、この輪ゴムの内側に穴が形成され、前記穴に傘を挿通することが可能である。【００１３】  上記本物品によれば、前記穴に傘の石突から、中棒に通すことにより傘の水滴を拭うことができる。【００１４】  前記穴に傘を通し傘の石突と中棒の境目に固定することで、傘から垂れる水滴を吸収し保水することができる。【００１５】  前記穴に傘を通し傘の中棒に固定し露先を束ねることができる。【００１６】  使用後は、前記穴に傘の手元を通し固定すると、傘に装着することができ、収納や始末する必要がなく、邪魔にならずに傘をさすことができる。【００１７】  製作は、シート状部材を折り、輪ゴムと係合させることによって形成されるので、ゴムを通す手間もない。シート状部材を複数回折り曲げているため、緩むことがなく、シート状部材が３層以上に重なることになり、吸水性の高い傘用水滴拭い具とすることができる。【００１８】  前記折り曲げ体は、前記輪ゴムに、前記シート状部材を複数回巻き付けており、巻き付けることによって、前記輪ゴムの内側が前記穴となり、その穴を中心に幾重にも重なるシート状部材の吸収層が形成される。【００１９】  上記本物品によれば、前記折り曲げ体は、曲げたシート状部材が幾重にも折り重なっているので、そのシート状部材の吸水層が厚く、複数回使用してもしみ出さず、くり返し水滴を吸収し保水することができる。【００２０】  前記折り曲げ体は、前記穴に挿通した傘の水滴を受ける部分が丸く開口した椀状や、また複数個重ねて使用できる平らなリング状にも成形可能である。【００２１】  上記本物品によれば、前記折り曲げ体は、丸く開口している椀状となっていることから、吸水部分に凹みがあり、凹みがないものより瞬時に多く水滴をうけ、吸収することができる。また椀状の形状は、内側の開口部を椀の外側に変形させ、水滴を直接受けていない椀の外側を椀の内側にし、何度も水滴を吸収することができる。【００２２】  形状は、平らなリング状にも成形可能で、複数個重ねることにより吸水層が厚くなり、より多く吸水でき、何度も使用できる。【００２３】  前記折り曲げ体は、前記シート状部材を長方形に成形した後、長辺方向に沿って複数回折って、この折り目に直交するように輪ゴムを留め、その輪ゴムを基点に輪ゴムが内側になるように折り曲げる。
【発明の効果】
【００２４】  この発明に従うと、傘を挿通することにより傘の水滴を拭い、また石突と中棒の境目で固定することにより垂れる水滴を吸収し、保水することができ、使用しない時は、傘の手元で固定すると傘に装着し、持ち運びできるので、収納や始末する必要もなく邪魔にならずに傘を快適に使うことができる。【００２５】  前記折り曲げ体は、曲げたシート状素材が幾重にも折り重なっているので吸水層が厚く、複数回使用してもしみ出さず、くり返し水滴を吸収し保水することができる。【００２６】  その製作は、輪ゴムにシート状部材を複数回巻き付けて完成するので、シート状部材と輪ゴムのみで簡単にできる。【００２７】  形状は、水滴を受けやすい椀状や、複数個重ねることにより吸水層をより厚くして使用できる平らなリング状にも成形可能である。
【図面の簡単な説明】
【００２８】
【図１】本発明の第１の実施形態を示す椀状の本物品の正面図
【図２】図１の本物品の背面図
【図３】図１の本物品の右側面図
【図４】図１の本物品の左側面図
【図５】図１の本物品の平面図
【図６】図１の本物品の底面図
【図７】シート状部材を折った図１の本物品の製作図
【図８】図７に示したものを三つ折りにした製作図
【図９】図８に示したものにゴムを通した製作図
【図１０】図１の本物品を傘の石突から中棒に移動させた説明図
【図１１】図１の本物品を傘の石突に固定した説明図
【図１２】図１の本物品を傘の中棒に固定した説明図
【図１３】図１の本物品を傘の手元に固定した説明図
【図１４】本発明の第２の実施形態を示す本物品の正面図
【図１５】図１４の本物品の背面図
【図１６】図１４の本物品の右側面図
【図１７】図１４の本物品の左側面図
【図１８】図１４の本物品の平面図
【図１９】図１４の本物品の底面図
【図２０】シート状部材を折りその長辺を三等分した一か所に輪ゴムを留めた図１４の本物品の製作図
【図２１】図２０に示した輪ゴムの上部三分の二をひっくり返し、穴を有する椀状にした製作図
【図２２】図２１に示した椀の縁を内側から穴に入れ、椀の外にひっぱり出した製作図
【図２３】本発明の第３の実施形態を示す本物品の正面図
【図２４】図２３の本物品の背面図
【図２５】図２３の本物品の右側面図
【図２６】図２３の本物品の左側面図
【図２７】図２３の本物品の平面図
【図２８】図２３の本物品の底面図
【図２９】シート状部材を折りその長辺を三等分した一か所に輪ゴムを留めた図２３の本物品の製作図
【図３０】図２９に示した輪ゴムの上部三分の二をひっくり返し、穴を有する椀状にした製作図
【図３１】図３０に示した椀の縁を内側から穴に入れ、椀の外にひっぱり出した製作図
【図３２】本発明の第１の実施形態を示すリング状の本物品の正面図
【図３３】図３２の本物品の背面図
【図３４】図３２の本物品の右側面図
【図３５】図３２の本物品の左側面図
【図３６】図３２の本物品の平面図
【図３７】図３２の本物品の底面図
【発明を実施するための形態】
［第１の実施形態］
【００２９】  以下、本発明の第１の実施形態にかかる、傘用水滴拭い具１を図１〜図１３に基づいて説明する。
【００３０】  図１〜図６で示すように、第１の実施形態にかかる傘用水滴拭い具は、シート状部材１０３を折り曲げた椀状の折り曲げ体１０３´で上部は丸く開口１０２しており、底部は輪ゴム１０４の入った穴１０１がある構成となっている。具体的に説明すると、吸水性のあるシート状部材１０３を複数回折り曲げて構成される折り曲げ体１０３´であって、前記シート状部材１０３と輪ゴム１０４と係合させ、この輪ゴム１０４の内側に穴１０１が形成され、前記穴１０１に傘２０１を挿通することが可能である、傘用水滴拭い具１である。
【００３１】  図１０で示すように、傘用水滴拭い具１は、折り曲げ体１０３´の中心に形成されている輪ゴム１０４を通した穴１０１に、傘の石突２０２を通し、傘の中棒２０３を通しながら、傘の水滴を拭うことができる。
【００３２】  図１１で示すように、本物品の穴１０１に傘の石突２０２を通し、石突と中棒の境目２０４に固定すると、傘２０１から垂れる水滴を上部開口１０２が受け、傘２０１から漏れ出す水滴を防ぐことができる。
【００３３】  図１２で示すように、本物品の穴１０１に傘の石突２０２から通し、中棒２０３で留めると傘の露先２０５を束ねることができる。
【００３４】  図１３で示すように、本物品の穴１０１に傘の手元２０６を通し固定すると、使用しない時も収納する必要がなく、傘２０１に装着することができる。
【００３５】  図７で示すように、製作はまず吸水性のあるシート状部材１０３を長方形になるように折る。次に図８で示すように、前記長方形の長辺方向に沿って少なくとも２か所以上折る。第１の実施形態では、三つ折りにしている。そして図９で示すように、輪ゴム１０４を三つ折り体に通し、真ん中で留める。最後に留めた輪ゴム１０４を基点に輪ゴム１０４が内側になるように前記三つ折りにした半分をひっくり返し、上半分と下半分を重ね合わせると図１〜図６で示す折り曲げ体１０３´となり完成する。
【００３６】  図１〜図６で示す折り曲げ体１０３´は、穴１０１を中心に幾重にも重なるシート状部材１０３の吸水層が形成されているので、第１の実施形態の傘用水滴拭い具１は、挿通する傘２０１の水滴を拭い、また傘２０１の石突と中棒の境目２０４に固定して垂れる水滴を吸収、保水し、複数回使用してもしみ出さない。また椀状に形成されているため、開口１０２の凹みに傘から垂れる水滴を瞬時に受け吸収することができる。椀をひっくり返して、椀外側を椀の内側にすることができ、椀の両面で水滴をうけることができる。
【００３７】  図３２〜図３７で示すように、平らなリング状にも成形することができ、何枚も重ねて使用することにより、吸水層に厚みが増し、さらに吸水しやすくなる。
［第２の実施形状］
【００３８】  以下、本発明の第２の実施形状にかかる傘用水滴拭い具１Ａを図１４〜図２２に基づいて説明する。
【００３９】  図１４〜図１９で示すように、第２の実施形態にかかる傘用水滴拭い具１Ａは、折り曲げ体の中心は輪ゴム１０４Ａの入った穴１０１Ａがある構成となっている。中心の穴１０１Ａは傘２０１を挿通することができ、傘２０１の水滴を拭い、垂れる水滴を防ぎ、使用しない時も、傘２０１の手元２０６に固定すると、傘２０１に装着することができる。より具体的に説明すると、傘用水滴拭い具１Ａは、前記輪ゴム１０４Ａに、前記シート状部材１０３Ａを複数回巻き付けており、巻き付けることによって、前記輪ゴム１０４Ａの内側が前記穴１０１Ａとなり、その穴１０１Ａを中心に幾重にも重なるシート状部材１０３Ａの吸収層が形成されている。
【００４０】  図２０で示すように、製作は、まず吸水性のあるシート状部材１０３Ａを四つ折りにし、その四つ折りの長辺を三等分した一か所に、輪ゴム１０４Ａを留める。次に図２１で示すように、輪ゴム１０４Ａが内側になるように輪ゴム１０４Ａを基点に、前記四つ折りの三分の二をひっくり返して穴１０１Ａが底になる椀状にし、そして図２２で示すように、椀の縁１０５Ａを椀の内側から穴１０１Ａに入れて、椀の底から外にひっぱり出し、出した椀の縁１０５Ａを更にひっくり返し、曲面に沿わせると輪ゴム１０４Ａにシート状部材１０３Ａが、巻き付いた折り曲げ体１０３Ａ´に構成され、完成する。
【００４１】  図１４〜図１９で示した折り曲げ体は、穴１０１Ａを中心に幾重にも重なるシート状部材１０３Ａの吸水層が形成されているので、挿通する傘２０１の水滴を拭い、また傘２０１の石突と中棒の境目２０４に固定して垂れる水滴を吸収し、吸水層を厚くすることにより、複数回使用してもしみ出さず、くり返し水滴を吸収し保水することができる。
［第３の実施形態］
【００４２】  以下、本発明の第３の実施形態にかかる傘用水滴拭い具１Ｂを図２３〜図３１に基づいて説明する。
【００４３】  図２３〜図２８で示すように、本物品、傘用水滴拭い具１Ｂは、第２の実施形態の１Ａと同様、折り曲げ体１０３Ｂ´の中心は輪ゴム１０４Ｂの入った穴１０１Ｂがある構成となっている。中心の穴１０１Ｂは傘２０１を挿通することができ、傘２０１の水滴を拭い、垂れる水滴を防ぎ、使用しない時も、傘２０１の手元２０６に固定すると、傘２０１に装着することができる。なお、１Ｂは、製作方法が、１Ａとは異なっている。
【００４４】  図２９で示すように、製作は、まず吸水性のあるシート状部材１０３Ｂを三つ折りにし、その三つ折りの長辺を三等分した一か所に輪ゴム１０４Ｂを留める。次に図３０で示すように、輪ゴム１０４Ｂが内側になるように輪ゴム１０４Ｂを基点に、前記三つ折りの三分の二をひっくり返して穴１０１Ｂが底になる椀状にし、そして図３１で示すように、椀の縁１０５Ｂを椀の内側から穴１０１Ｂに入れて椀の底から外にひっぱり出し、出した椀の縁１０５Ｂを更にひっくり返し曲面に沿わせると、輪ゴム１０４Ｂにシート状部材１０３Ｂが巻き付いた折り曲げ体１０３Ｂ´に構成され完成する。
【００４５】  図２３〜図２８で示すように、傘用水滴拭い具１Ｂも傘用水滴拭い具１Ａと同様に、穴１０１Ｂを中心に幾重にも重なるシート状部材１０３Ｂの吸水層が形成されているので、挿通する傘２０１の水滴を拭い、また傘２０１の石突と中棒の境目２０４に固定して垂れる水滴を吸収し、複数回使用してもしみ出さず、くり返し水滴を吸収し保水することができる。
【００４６】  シート状部材１０３には、綿タオル、マイクロファイバータオル、パルプ、不織布、など、種類を問わず吸水性の薄手の部材を示す。
【符号の説明】
【００４７】  傘                ２０１
石突              ２０２
中棒              ２０３
石突と中棒の境目  ２０４
露先              ２０５
手元              ２０６
［第１の実施形態／傘用水滴拭い具１］
穴                １０１
上部開口          １０２
シート状部材      １０３
折り曲げ体        １０３´
輪ゴム            １０４
椀の縁            １０５
［第２の実施形態／傘用水滴拭い具１Ａ］
穴                １０１Ａ
シート状部材      １０３Ａ
折り曲げ体        １０３Ａ´
輪ゴム            １０４Ａ
椀の縁            １０５Ａ
［第３の実施形態／傘用水滴拭い具１Ｂ］
穴                １０１Ｂ
シート状部材      １０３Ｂ
折り曲げ体        １０３Ｂ´
輪ゴム            １０４Ｂ
椀の縁            １０５Ｂ
【図１】
2018042964.tif 000003
【図２】
2018042964.tif 000004
【図３】
2018042964.tif 000005
【図４】
2018042964.tif 000006
【図５】
2018042964.tif 000007
【図６】
2018042964.tif 000008
【図７】
2018042964.tif 000009
【図８】
2018042964.tif 000010
【図９】
2018042964.tif 000011
【図１０】
2018042964.tif 000012
【図１１】
2018042964.tif 000013
【図１２】
2018042964.tif 000014
【図１３】
2018042964.tif 000015
【図１４】
2018042964.tif 000016
【図１５】
2018042964.tif 000017
【図１６】
2018042964.tif 000018
【図１７】
2018042964.tif 000019
【図１８】
2018042964.tif 000020
【図１９】
2018042964.tif 000021
【図２０】
2018042964.tif 000022
【図２１】
2018042964.tif 000023
【図２２】
2018042964.tif 000024
【図２３】
2018042964.tif 000025
【図２４】
2018042964.tif 000026
【図２５】
2018042964.tif 000027
【図２６】
2018042964.tif 000028
【図２７】
2018042964.tif 000029
【図２８】
2018042964.tif 000030
【図２９】
2018042964.tif 000031
【図３０】
2018042964.tif 000032
【図３１】
2018042964.tif 000033
【図３２】
2018042964.tif 000034
【図３３】
2018042964.tif 000035
【図３４】
2018042964.tif 000036
【図３５】
2018042964.tif 000037
【図３６】
2018042964.tif 000038
【図３７】
2018042964.tif 000039